(57)【要約】【課題】バンド横ズレ及び回転ズレの両方を防止することが可能なコルゲートチューブ用バンドクリップを提供する。【解決手段】ワイヤハーネスを内部に差し込んだ状態のコルゲートチューブの外周にバンドクリップ１のバンド部２を巻き付けると、バンド部２の挿入部７がコルゲートチューブの環状凹部に入り込み、この状態でバンド部２の先端をバンドロック部３の差込孔２０に挿入してバンド部２を強く引っ張り固定をすると、挿入部７が恰もコルゲートチューブの環状凹部に食い込むような状態になって、これにより大きな摩擦力が得られるようになる。バンドクリップ１は、コルゲートチューブに対して、このコルゲートチューブの長手方向に移動不能、コルゲートチューブの軸を中心に回転不能となる。【選択図】図１
2008283796.tif 000002
【特許請求の範囲】
【請求項１】
ワイヤハーネスに外装するコルゲートチューブの外周に巻き付けられるバンド部と、該バンド部の後端に設けられ、前記コルゲートチューブに巻き付く際に前記バンド部の先端を挿入して該バンド部を固定するバンドロック部と、該バンドロック部に設けられ、取付相手先に引っ掛かると係止状態を形成するクリップ部と、を備えるとともに、前記バンド部に前記コルゲートチューブの環状凹部に入り込む挿入部を有するコルゲートチューブ用バンドクリップにおいて、
前記挿入部を、前記環状凹部の断面形状に合わせた断面形状で少なくとも前記環状凹部の両側面に接触する断面台形形状突条部分となるように形成する
ことを特徴とするコルゲートチューブ用バンドクリップ。
【請求項２】
請求項１に記載のコルゲートチューブ用バンドクリップにおいて、
前記環状凹部の底面の幅をａ、開口面の幅をｂ、深さをｈとするとともに、前記挿入部の突条先端幅をＡ、突条基端幅をＢ、突条高さをＨとし、Ａ＞ａ、Ｂ＞ｂ、Ｈ≦ｈの寸法関係が成り立つよう前記挿入部を形成する
ことを特徴とするコルゲートチューブ用バンドクリップ。
【請求項３】
請求項１又は請求項２に記載のコルゲートチューブ用バンドクリップにおいて、
前記バンド部の全部又は一部を前記挿入部の幅に合わせて細く形成する
ことを特徴とするコルゲートチューブ用バンドクリップ。
【発明の詳細な説明】
【技術分野】
【０００１】
本発明は、ワイヤハーネスに外装するコルゲートチューブ用のバンドクリップに関する。
【背景技術】
【０００２】
環状の凹凸を連続させた蛇腹形状のコルゲートチューブの外周に、バンド部を横ズレしないように位置決めして固定することができる構造のバンドクリップとしては、下記特許文献１に開示された技術のものが知られている。特許文献１において、バンドクリップのバンド部には、この中央にコルゲートチューブの環状凸部を差し入れるためのスリットが形成されている。また、バンド部には、コルゲートチューブの環状凹部に差し込まれる挿入部がスリットの両側にそれぞれ形成されている。
【特許文献１】特開平８−３０８０７０号公報
【発明の開示】
【発明が解決しようとする課題】
【０００３】
ところで、上記従来技術にあっては、バンド部にコルゲートチューブの環状凸部を差し入れる構造を有することから、コルゲートチューブの長手方向にバンド部が横ズレしないものの、このバンド部の巻き付けが緩ければバンドクリップが容易に回転してしまうという恐れを有している。これは、バンド部に回転ズレを防止するための構造を有してないからであり、バンドクリップに回転ズレが生じた場合には、例えばこのバンドクリップの取付相手先に対する作業性に影響を来してしまうという問題点を有している。
【０００４】
本発明は、上述した事情に鑑みてなされたもので、バンド横ズレ及び回転ズレの両方を防止することが可能なコルゲートチューブ用バンドクリップを提供することを課題とする。
【課題を解決するための手段】
【０００５】
上記課題を解決するためになされた請求項１記載の本発明のコルゲートチューブ用バンドクリップは、ワイヤハーネスに外装するコルゲートチューブの外周に巻き付けられるバンド部と、該バンド部の後端に設けられ、前記コルゲートチューブに巻き付く際に前記バンド部の先端を挿入して該バンド部を固定するバンドロック部と、該バンドロック部に設けられ、取付相手先に引っ掛かると係止状態を形成するクリップ部と、を備えるとともに、前記バンド部に前記コルゲートチューブの環状凹部に入り込む挿入部を有するコルゲートチューブ用バンドクリップにおいて、前記挿入部を、前記環状凹部の断面形状に合わせた断面形状で少なくとも前記環状凹部の両側面に接触する断面台形形状突条部分となるように形成することを特徴としている。
【０００６】
このような特徴を有する本発明によれば、コルゲートチューブの環状凹部に挿入部が入り込むことからバンド横ズレが防止される。また、挿入部の形状によってコルゲートチューブの環状凹部に対する接触面積が大きくなり、摩擦力増大となって、バンド回転ズレも防止される。
【０００７】
請求項２記載の本発明のコルゲートチューブ用バンドクリップは、請求項１に記載のコルゲートチューブ用バンドクリップにおいて、前記環状凹部の底面の幅をａ、開口面の幅をｂ、深さをｈとするとともに、前記挿入部の突条先端幅をＡ、突条基端幅をＢ、突条高さをＨとし、Ａ＞ａ、Ｂ＞ｂ、Ｈ≦ｈの寸法関係が成り立つよう前記挿入部を形成することを特徴としている。
【０００８】
このような特徴を有する本発明によれば、バンド部を巻き付け挿入部でコルゲートチューブの環状凹部を締め付けると、挿入部が恰も環状凹部に食い込むような状態になる。環状凹部の断面形状よりも大きめの断面形状となる挿入部であることから、摩擦力が増大して、バンド回転ズレがより一層確実に防止される。
【０００９】
請求項３記載の本発明のコルゲートチューブ用バンドクリップは、請求項１又は請求項２に記載のコルゲートチューブ用バンドクリップにおいて、前記バンド部の全部又は一部を前記挿入部の幅に合わせて細く形成することを特徴としている。
【００１０】
このような特徴を有する本発明によれば、幅の狭い部分をワイヤハーネスの取り出しの際のバンドクリップ破壊部分とすることが可能になる。
【発明の効果】
【００１１】
請求項１に記載された本発明によれば、バンド横ズレ及び回転ズレの両方を防止することができるという効果を奏する。また、請求項２に記載された本発明によれば、より一層確実にバンド回転ズレを防止することができるという効果を奏する。
【００１２】
請求項３に記載された本発明によれば、請求項１又は請求項２の効果の他に、比較的小さな力でバンドクリップを破壊することができ、これによってワイヤハーネスの取り出しを容易にすることができるという効果を奏する。
【発明を実施するための最良の形態】
【００１３】
以下、図面を参照しながら説明する。図１は本発明のコルゲートチューブ用バンドクリップの一実施の形態を示す斜視図である。また、図２及び図３はコルゲートチューブに巻き付いた状態を示すバンドクリップの斜視図及び側面図、図４は挿入部と環状凹部との寸法関係を示す断面図である。
【００１４】
図１において、引用符号１は本発明に係るバンドクリップ（コルゲートチューブ用バンドクリップ）を示している。バンドクリップ１は、合成樹脂製であって、バンド部２と、このバンド部２の後端に設けられるとともにバンド部２の先端を挿入して固定をするバンドロック部３と、バンドロック部３に設けられるクリップ部４とを備えて構成されている。
【００１５】
図１ないし図３において、バンドクリップ１は、図示しないワイヤハーネスに外装されるコルゲートチューブ５の外周にバンド部２を巻き付けてこのバンド部２をバンドロック部３により固定した後、バンドロック部３に一体化するクリップ部４を図示しない取付相手先（例えば自動車の車体パネル）に引っ掛けて係止状態を形成するような使用となっている。バンドクリップ１は、係止状態が形成されると、ワイヤハーネスを所望の位置に配索することができるようになっている。
【００１６】
バンドクリップ１は、コルゲートチューブ５に対して、このコルゲートチューブ５の長手方向に移動してしまうような横ズレや、コルゲートチューブ５の軸を中心に回転移動してしまうような回転ズレが生じないようにすることを可能とした特徴的な構造を有している。
【００１７】
以下、図１ないし図４を参照しながら上記の各構成について説明するとともに、本発明の特徴的な構造についても説明する。
【００１８】
バンド部２は、コルゲートチューブ５の外周に巻き付く部分であって、コルゲートチューブ５の外周長さよりも十分に長い長さを有している。このようなバンド部２は、細長く形成されるバンド部本体６と、このバンド部本体６に一体に形成される挿入部７とを有している。コルゲートチューブ５に巻き付く側の面を内面とすると、バンド部本体６の内面には、挿入部７が所定の範囲で一体に形成されている。また、バンド部本体６の外面には、複数の係止溝８が所定の範囲で形成されている。
【００１９】
ここでコルゲートチューブ５について説明すると、コルゲートチューブ５は、合成樹脂製の筒状部材であって、環状の凹凸を連続させた蛇腹形状に形成されている。すなわち、コルゲートチューブ５は、環状凹部９と環状凸部１０とを長手方向に沿って交互に配置してなる図示のような形状に形成されている。コルゲートチューブ５には、特に図示しないが、この内部にワイヤハーネスを差し込むためのスリットが一方の開口部１１から他方の開口部１２まで真っ直ぐに形成されている。
【００２０】
環状凹部９は、図４に示す如く凹んでおり、この環状凹部９の底面１３は寸法ａの幅で形成されている。また、環状凹部９は、開口面１４が寸法ｂの幅で形成されている（ａ＜ｂ）。さらに、環状凹部９は、凹部深さが寸法ｈの深さで形成されている。環状凹部９は、この断面が台形形状となるように形成されている。環状凹部９の凹部側面１５、１５は、底面１３に向けて次第に間隔が狭まるようなテーパ面として形成されている。底面１３は、開口面１４と平行になるような面として形成されている。一方、環状凸部１０は、この先端面１６が平坦な面となるように形成されている。先端面１６と底面１３は、略平行な面となるように形成されている。
【００２１】
バンドクリップ１の説明に戻り、バンド部２の挿入部７は、コルゲートチューブ５の環状凹部９に入り込んでこれに密着するような部分として形成されている。挿入部７は、環状凹部９の断面形状（上記台形形状）に合わせた断面形状（図４の斜線で示す形状を参照）を有するように形成されている。すなわち、挿入部７は、環状凹部９の両凹部側面１５、１５に接触するような断面台形形状となる突条部分（断面台形形状突条部分）として形成されている。
【００２２】
もう少し具体的に挿入部７の形状について説明すると、挿入部７は図４の斜線で示すような断面形状に形成されている。挿入部７は、寸法的に環状凹部９にラップするような台形形状に形成されている。挿入部７は、この突条先端１７が寸法Ａの幅で形成されている。また、挿入部７は、突条基端１８が寸法Ｂの幅で形成されている。さらに、挿入部７は、突条高さが寸法Ｈの高さで形成されている。挿入部７の側面１９、１９（環状凹部９の両凹部側面１５、１５に接触する側面）は、突条先端１７に向けて次第に間隔が狭まるようなテーパ面として形成されている。挿入部７は、環状凹部９の寸法に対し、Ａ＞ａ、Ｂ＞ｂ、Ｈ≦ｈの関係が成り立つように形成されている。
【００２３】
挿入部７は、寸法的に環状凹部９にラップすることから、環状凹部９に恰も食い込むとともに、接触面積を十分にかせぎ、これによって大きな摩擦力が得られるような部分になっている。
【００２４】
バンド部本体６の外面に形成される複数の係止溝８は、バンドロック部３に差し込まれると、このバンドロック部３の内部に形成される係止片（図示省略）に引っ掛かるようになっている。
【００２５】
バンドロック部３は、バンド部２に対する差込孔２０と、この差込孔２０の内部中間に配置形成される係止片とを有している。バンドロック部３は、この差込孔２０にバンド部２が差し込まれると、バンド部２が差込方向に移動可能、且つ、引き抜き方向に移動不能となるように係止片が形成されている。
【００２６】
クリップ部４は、バンドロック部３に一体となるベース部分２１と、バンドロック部３の反対側でベース部分２１に一体化する支柱部分２２と、支柱部分２２に一体化し図示しない取付相手先の係止孔に引っ掛かる一対の係止羽根２３、２３と、支柱部分２２に一体化し上記係止孔の周囲に弾性的に接触する弾性接触部分２４とを有している。
【００２７】
上記構成において、ワイヤハーネスを内部に差し込んだ状態のコルゲートチューブ５の外周にバンドクリップ１のバンド部２を巻き付けると、バンド部２の挿入部７がコルゲートチューブ５の環状凹部９に入り込み、この状態でバンド部２の先端をバンドロック部３の差込孔２０に挿入してバンド部２を強く引っ張り固定をすると、挿入部７が恰も環状凹部９に食い込むような状態になって、これにより大きな摩擦力が得られるようになる。バンドクリップ１は、コルゲートチューブ５に対して、このコルゲートチューブ５の長手方向に移動不能（横ズレしない）になるのは勿論のこと、コルゲートチューブ５の軸を中心に回転不能（回転ズレしない）になる。
【００２８】
以上、図１ないし図４を参照しながら説明してきたように、本発明によれば、バンド横ズレ及び回転ズレの両方を防止したバンドクリップ１を提供することができるという効果を奏する。
【００２９】
尚、解体してワイヤハーネスを取り出す必要性が生じた場合を考えると、本発明のバンドクリップ１は、バンド部２がコルゲートチューブ５の環状凹部９に合わせて細く形成されていることから、このバンド部２をバンドクリップ１の破壊部分とすれば、容易にワイヤハーネスの取り出しをすることができるようになる。
【００３０】
次に、図５ないし図８を参照しながら本発明のコルゲートチューブ用バンドクリップの他の一実施の形態を説明する。図５は他の一実施の形態を示す斜視図、図６及び図７はコルゲートチューブに巻き付いた状態を示すバンドクリップの斜視図及び側面図である。また、図８は挿入部を長く形成したバンドクリップの変形例を示す斜視図である。尚、上記図１ないし図４の説明と基本的に同じ部分には同一の符号を付すものとする。
【００３１】
図５において、引用符号３１は本発明に係るバンドクリップ（コルゲートチューブ用バンドクリップ）を示している。バンドクリップ３１は、合成樹脂製であって、バンド部３２と、このバンド部３２の後端に設けられるとともにバンド部３２の先端を挿入して固定をするバンドロック部３３と、バンドロック部３３に設けられるクリップ部４とを備えて構成されている。
【００３２】
図５ないし図７において、バンドクリップ３１は、図示しないワイヤハーネスに外装されるコルゲートチューブ５の外周にバンド部３２を巻き付けてこのバンド部３２をバンドロック部３３により固定した後、バンドロック部３３に一体化するクリップ部４を図示しない取付相手先（例えば自動車の車体パネル）に引っ掛けて係止状態を形成するような使用となっている。バンドクリップ３１は、係止状態が形成されると、ワイヤハーネスを所望の位置に配索することができるようになっている。
【００３３】
バンドクリップ３１は、コルゲートチューブ５に対して、このコルゲートチューブ５の長手方向に移動してしまうような横ズレや、コルゲートチューブ５の軸を中心に回転移動してしまうような回転ズレが生じないようにすることを可能とした特徴的な構造を有している。
【００３４】
バンド部３２は、コルゲートチューブ５の外周に巻き付く部分であって、コルゲートチューブ５の外周長さよりも十分に長い長さを有している。バンド部３２は、コルゲートチューブ５の環状凸部１０の先端面１６上に巻き付く帯状バンド部３４、３５と、挿入部７を一体化した連結部３６とを有している。帯状バンド部３４は、連結部３６よりも幅広い帯状に形成されている。帯状バンド部３４は、この一端がバンドロック部３３に連成されている。このような帯状バンド部３４の他端には、連結部３６の一端が連成されている。連結部３６は、コルゲートチューブ５の環状凹部９に合わせて細く形成されている。連結部３６は、上記バンド部本体６（図１参照）と同様の形状に形成されている。連結部３６は、任意の長さで形成されている。このような連結部３６には、挿入部７が一体に形成されている（図８に示す如く、帯状バンド部３４まで挿入部７をのばしても良いものとする）。連結部３６の他端には、帯状バンド部３５の一端が連成されている。帯状バンド部３５は、連結部３６よりも幅広い帯状に形成されている。帯状バンド部３５の他端は、バンド部３２の先端となっている。
【００３５】
コルゲートチューブ５に巻き付く側の面を内面とすると、連結部３６の内面には、挿入部７がこの連結部３６の範囲で一体に形成されている（挿入部７の形状や寸法関係は図４参照）。また、帯状バンド部３５の外面には、複数の係止溝８が所定の範囲で形成されている。
【００３６】
バンドロック部３３は、バンド部３２に対する差込孔２０と、この差込孔２０の内部中間に配置形成される係止片とを有している（基本的に上記バンドロック部３と同じ。差込孔２０が帯状バンド部３５に合わせて幅広くなっただけである）。バンドロック部３３は、この差込孔２０に帯状バンド部３５が差し込まれると、帯状バンド部３５が差込方向に移動可能、且つ、引き抜き方向に移動不能となるようになっている。
【００３７】
上記構成において、ワイヤハーネスを内部に差し込んだ状態のコルゲートチューブ５の外周にバンドクリップ３１のバンド部３２を巻き付けると、バンド部３２の挿入部７がコルゲートチューブ５の環状凹部９に入り込み、この状態でバンド部３２の先端の帯状バンド部３５をバンドロック部３３の差込孔２０に挿入して帯状バンド部３５を強く引っ張り、バンド部３２を固定すると、挿入部７が恰も環状凹部９に食い込むような状態になって、これにより大きな摩擦力が得られるようになる。バンドクリップ３１は、コルゲートチューブ５に対して、このコルゲートチューブ５の長手方向に移動不能（横ズレしない）になるのは勿論のこと、コルゲートチューブ５の軸を中心に回転不能（回転ズレしない）になる。
【００３８】
以上、図５ないし図８を参照しながら説明してきたように、本発明によれば、バンド横ズレ及び回転ズレの両方を防止したバンドクリップ３１を提供することができるという効果を奏する。
【００３９】
尚、解体してワイヤハーネスを取り出す必要性が生じた場合を考えると、本発明のバンドクリップ３１は、バンド部３２がコルゲートチューブ５の環状凹部９に合わせて細く形成した連結部３６及び挿入部７を有することから、この部分をバンドクリップ３１の破壊部分とすれば、容易にワイヤハーネスの取り出しをすることができるようになる。
【００４０】
本発明は本発明の主旨を変えない範囲で種々変更実施可能なことは勿論である。
【図面の簡単な説明】
【００４１】
【図１】本発明のコルゲートチューブ用バンドクリップの一実施の形態を示す斜視図である。
【図２】コルゲートチューブに巻き付いた状態を示すバンドクリップの斜視図である。
【図３】コルゲートチューブに巻き付いた状態を示すバンドクリップの側面図である。
【図４】挿入部と環状凹部との寸法関係を示す断面図である。
【図５】本発明のコルゲートチューブ用バンドクリップの他の一実施の形態を示す斜視図である。
【図６】コルゲートチューブに巻き付いた状態を示すバンドクリップの斜視図である。
【図７】コルゲートチューブに巻き付いた状態を示すバンドクリップの側面図である。
【図８】挿入部を長く形成したバンドクリップの変形例を示す斜視図である。
【符号の説明】
【００４２】
１  バンドクリップ
２  バンド部
３  バンドロック部
４  クリップ部
５  コルゲートチューブ
６  バンド部本体
７  挿入部
８  係止溝
９  環状凹部
１０  環状凸部
１１、１２  開口部
１３  底面
１４  開口面
１５  凹部側面
１６  先端面
１７  突条先端
１８  突条基端
１９  側面
２０  差込孔
２１  ベース部分
２２  支柱部分
２３  係止羽根
２４  弾性接触部分
３１  バンドクリップ
３２  バンド部
３３  バンドロック部
３４、３５  帯状バンド部
３６  連結部
【図１】
2008283796.tif 000003
【図２】
2008283796.tif 000004
【図３】
2008283796.tif 000005
【図４】
2008283796.tif 000006
【図５】
2008283796.tif 000007
【図６】
2008283796.tif 000008
【図７】
2008283796.tif 000009
【図８】
2008283796.tif 000010